(57)【要約】【課題】  風景の変更可能なジオラマを実現すること。【解決手段】  容器３の底部６から離間して容器３内に配設されると共に、上下方向に貫通する複数の孔を有する蓋部材２と、側部に容器３の底部６と蓋部材２との間の空隙に連通する開口部４が設けられた容器３とを備える。【選択図】  図１
2006223153.tif 000002
【特許請求の範囲】
【請求項１】
上方が開口した容器と、当該容器の蓋部材と、を備えた栽培器具であって、
前記蓋部材は、前記容器の底部から離間して前記容器内に配設されると共に、上下方向に貫通する複数の孔を有し、
前記容器の側部には、前記容器の底部と前記蓋部材との間の空隙に連通する開口部を設けたことを特徴とする栽培器具。
【請求項２】
更に、前記蓋部材の前記孔に挿脱される模型を備えたことを特徴とする請求項１に記載の栽培器具。
【請求項３】
前記蓋部材は板状をなし、且つハニカム構造であることを特徴とする請求項１又は２に記載の栽培器具。
【請求項４】
前記開口部は前記容器の側面に設けられた張り出し部であり、当該張り出し部は当該張り出し部の上方から与えたれた液体を前記空隙に導入することを特徴とする請求項１乃至３の何れか１項に記載の栽培器具。
【請求項５】
模型を配置し、植物を栽培する栽培器具であって、
開口を有する容器と、当該容器の開口に嵌合する嵌合部材と、前記容器の底部に配置され、植物の苗床となる苗床部と、を備え、
前記嵌合部材は、前記容器の底部から離間して前記容器の開口に嵌合すると共に、当該嵌合部材を貫通する複数の孔を有し、
前記孔は、植物が挿通され、かつ模型が挿脱されることを特徴とする栽培器具。
【請求項６】
前記容器の側部には、前記容器の底部と前記嵌合部材との間の空隙に連通する連通口を設けたことを特徴とする請求項５に記載の栽培器具。
【発明の詳細な説明】
【技術分野】
【０００１】
本発明は、栽培器具に関するものである。
【背景技術】
【０００２】
従来から、現実世界を模した風景の模型というものが存在する。また、このような模型には、現実の植物を育てるための領域が存在するものもある。このような模型では、その領域に植物の種をまき、水を与えることで、その植物は成長するので、この模型の景観としては、現実世界を模した風景の模型と共に、リアルな植物が存在する景観となり、よりリアルなジオラマとなる。
【０００３】
また、特許文献１には、模型全体に爽やかさを演出する為の植栽模型のパーツ作製用部材や植栽パーツが開示されている。
【特許文献１】特開２００４−１９８４５３号公報
【発明の開示】
【発明が解決しようとする課題】
【０００４】
しかし、従来のジオラマは、以下に示す問題点がある。
【０００５】
１．  第１にジオラマの台座に対し模型を配置する位置は予め決まっているので、植物を育てるための領域と模型を配置する領域とが明確に区別され、常に一定のジオラマの風景しか楽しむことができないという問題点がある。
【０００６】
２．  第２にジオラマに適した植物は、葉が小さく茎が細い草等であるので、このような植物に水を与える際に、水が直接植物に注がれてしまうと植物に損傷を与えてしまうという問題点がある。
【０００７】
よって、本発明は、上記問題点を解決するための栽培器具の提供を目的とする。
【課題を解決するための手段】
【０００８】
本発明の目的を達成するために、例えば、本発明の栽培器具は以下の構成を備える。
【０００９】
本発明は、上方が開口した容器と、当該容器の蓋部材と、を備えた栽培器具であって、
前記蓋部材は、前記容器の底部から離間して前記容器内に配設されると共に、上下方向に貫通する複数の孔を有し、
前記容器の側部には、前記容器の底部と前記蓋部材との間の空隙に連通する開口部を設けたことを特徴とする。
【００１０】
更に、前記蓋部材の前記孔に挿脱される模型を備えたことを特徴とする。
【００１１】
また、蓋部材は板状をなし、且つハニカム構造であることを特徴とする。
【００１２】
開口部は前記容器の側面に設けられた張り出し部であり、当該張り出し部は当該張り出し部の上方から与えたれた液体を前記空隙に導入することを特徴とする。
【００１３】
また、本発明は、模型を配置し、植物を栽培する栽培器具であって、
開口を有する容器と、当該容器の開口に嵌合する嵌合部材と、前記容器の底部に配置され、植物の苗床となる苗床部と、を備え、
前記嵌合部材は、前記容器の底部から離間して前記容器の開口に嵌合すると共に、当該嵌合部材を貫通する複数の孔を有し、
前記孔は、植物が挿通され、かつ模型が挿脱されることを特徴とする。
【００１４】
更に、前記容器の側部には、前記容器の底部と前記嵌合部材との間の空隙に連通する連通口を設けたことを特徴とする。
【００１５】
なお、本発明において、「苗床部」とは植物に根を張らせるための場所であり、例えば脱脂綿や繊維状のシート、または土等であり、水分を含ませ、根を張らせることが可能なものであれば良い。
【発明の効果】
【００１６】
本発明の構成により、模型の配置場所を変更することを可能として、かつ植物に損傷を与えないように水を与えることができる。
【発明を実施するための最良の形態】
【００１７】
以下添付図面を参照して、本発明を好適な実施形態に従って詳細に説明する。
【００１８】
図１は、栽培器具の外観を示す図である。同図に示す如く、栽培器具は、上下方向（同図矢印で示す方向）に複数の孔を備える蓋部材（嵌合部材）２と、この蓋部材２の孔に差し込むことで蓋部材２上に配設可能な模型１と、蓋部材２を容器３の底部６から離間して容器３内に配設（嵌合）した場合に生ずる容器３の底部６と蓋部材２との間の空隙に連通する開口部（連通口）４を有する容器３とを備える。ここで、孔は、植物の成長を妨げないようにするために設けられた貫通孔であり、孔の貫通方向は、植物が成長する（伸びる）方向である。
【００１９】
図２は、栽培器具を構成する上記各部材を示す図である。同図を用いて各部材について説明する。
【００２０】
模型１は、蓋部材２の孔に挿脱可能な凸部１ａを有する。この凸部１ａは例えば弾性を有する円柱状のものである。よって、この凸部１ａを孔に差し込むことで、この模型１を蓋部材２上に配設する事ができる。なお、蓋部材２の孔に差し込むことで模型１を蓋部材２上に配設することができるのであれば、凸部１ａの形状については特に限定するものではない。また、同図では模型１は犬の模型としているが、これに限定するものではなく、様々な模型が考え得る。また１つの模型に複数の凸部を設けるようにしても良い。なお、蓋部材２は、複数の孔を備えているので、模型１は複数の孔の数分だけの配設位置をとることが可能となる。
【００２１】
次に、蓋部材２について説明する。蓋部材２は、上述の通り、上下方向に複数の孔を有するものであり、以下の説明ではこのような構造の一例としてハニカム構造を有しているものとする。この蓋部材２は、容器３の底部６から離間して容器３内に配設される（容器３の底部６から離間して容器３の開口に嵌合される）ものである。そのための蓋部材２、容器３の構造について図３を用いて説明する。
【００２２】
図３は、容器３の底部６に略平行な方向から見た蓋部材２、容器３の断面図である。同図に示す如く、蓋部材２の側面に凸部２ａ、２ｂを設けると共に、容器３の内側の面（且つ上方の位置）に凹部３ａ、３ｂを設ける。よって、蓋部材２を容器３内に配設する場合には、凸部２ａを凹部３ａにはめ込むと共に、凸部２ｂを凹部３ｂにはめ込む。このようなはめ込みは、容器３がある程度同図矢印で示す矢印方向にたわめば可能である。これにより、凸部２ａ、２ｂはそれぞれ凹部３ａ、３ｂで支持されることになるので、結果として蓋部材２は、容器３の底部６から離間して容器３内に配設することができる。なお、蓋部材２を容器３の底部６から離間して容器３内に配設する為の構造については様々なものが考えられ、このような構造に限定するものではない。
【００２３】
次に、容器３について説明する。容器３は、脱脂綿等、水分（液体）を含ませることのできる部材（苗床部）５を底部６に収容する為のものであり、更にこの部材５上には植物の種がまかれている。即ちこの部材５は、植物の苗床となるものである。従って、容器３の底部６には、水分を含み、且つ種をまかれた部材５が配設されることになる。
【００２４】
よって時間が経過すると共に、この種からは芽が出、その芽は成長するので、結果としてこの芽は上方に伸びていく。また、この容器３内には蓋部材２が配設されるが、この蓋部材２はハニカム構造を有しているので、成長した芽は何れかの孔を通過（挿通）して上方にのびていく。また、それぞれの孔は、芽が略上方にのびるように整合させる器具としても機能している。
【００２５】
これにより、この栽培器具は、模型１と共に植物を観覧するためのジオラマとして機能する。また、上述の通り、蓋部材２上には、様々な模型を配設することができるので、適宜好みの模型を好みの位置に配設することで、好みのジオラマを作成することができる。
【００２６】
ここで、部材５に含まれている水分は蒸発したり植物に吸収されたりするので、結果として部材５に含まれている水分はなくなってしまう。このような状況になれば、この栽培器具のユーザはこの部材５に水を与えなくてはいけない。
【００２７】
そこで、容器３には開口部４が設けられている。この開口部４は、図１，２に示す如く、容器３の側面に設けられた張り出し部であり、張り出し部の上方から与えたれた液体を容器３の底部６と蓋部材２との間の空隙に導入するためのものである。よって、この開口部４に液体を入れることで、植物に損傷を与えることなく、部材５に直接水分を与えることができる。
【００２８】
仮にこの開口部４が設けられていないと、栽培器具のユーザは部材５に水分を与えるためにはその都度蓋部材２を容器３から取り外さなくてはいけない。また、蓋部材２の上方から部材５に直接水を注ぐと行った方法も考えられるが、このようなジオラマに用いられる植物は外力に対する十分な強度を有していないため、上方からの水が当たると、折れてしまうなどの問題がある。よって、この開口部４は、このような問題を解消するためのものとしても機能する。なお、開口部４の口の形や配設位置などについてはこれに限定するものではない。
【図面の簡単な説明】
【００２９】
【図１】栽培器具の外観を示す図である。
【図２】栽培器具を構成する上記各部材を示す図である。
【図３】容器３の底部６に略平行な方向から見た蓋部材２、容器３の断面図である。
【図１】
2006223153.tif 000003
【図２】
2006223153.tif 000004
【図３】
2006223153.tif 000005